(57)【特許請求の範囲】
【請求項１】
第１の半導体レーザと、この第１の半導体レーザよりも波長の長いレーザ光を出射する第２の半導体レーザと、上記第１の半導体レーザと第２の半導体レーザからのレーザ光を反射して同一の方向に導く斜面と、この斜面によって反射されたレーザ光を平行光に変換するコリメートレンズと、この平行光を記録媒体上に集光する対物レンズと、記録媒体によって反射された反射光を受ける受光素子とを備えた光ピックアップであって、
上記斜面は、上記第１の半導体レーザからのレーザ光を部分反射するとともに第２の半導体レーザからのレーザ光を透過する第１の斜面と、上記第２の半導体レーザからのレーザ光を部分反射するとともに第１の半導体レーザからのレーザ光を透過する第２の斜面とからなり、
上記第１の半導体レーザと上記第２の半導体レーザとは、それぞれ単一の上記受光素子に対して共役な位置に配置され、
上記第１の半導体レーザと第１の斜面との間または上記第２の半導体レーザと第２の斜面との間に収差補正用のホログラム素子が介在していることを特徴とする光ピックアップ。
【請求項２】
第１の半導体レーザと、この第１の半導体レーザよりも波長の長いレーザ光を出射する第２の半導体レーザと、上記第１の半導体レーザと第２の半導体レーザからのレーザ光を反射して同一の方向に導く斜面と、この斜面によって反射されたレーザ光を平行光に変換するコリメートレンズと、この平行光を記録媒体上に集光する対物レンズと、記録媒体によって反射された反射光を受ける受光素子とを備えた光ピックアップであって、
上記第１の半導体レーザと上記第２の半導体レーザとは、それぞれ単一の上記受光素子に対して共役な位置に配置され、
上記対物レンズと上記コリメートレンズとの間に、上記対物レンズと一体に駆動される収差補正用のホログラム素子が介在していることを特徴とする光ピックアップ。
【請求項３】
第１の半導体レーザと、この第１の半導体レーザよりも波長の長いレーザ光を出射する第２の半導体レーザと、上記第１の半導体レーザと第２の半導体レーザからのレーザ光を反射して同一の方向に導く斜面と、この斜面によって反射されたレーザ光を平行光に変換するコリメートレンズと、この平行光を記録媒体上に集光する対物レンズと、記録媒体によって反射された反射光を受ける受光素子とを備えた光ピックアップであって、
上記斜面は、上記第１の半導体レーザからのレーザ光を部分反射するとともに第２の半導体レーザからのレーザ光を透過する第１の斜面と、上記第２の半導体レーザからのレーザ光を部分反射するとともに第１の半導体レーザからのレーザ光を透過する第２の斜面とからなり、
上記第１の半導体レーザと上記第２の半導体レーザとは、それぞれ単一の上記受光素子に対して共役な位置に配置され、
上記第１の半導体レーザまたは上記第２の半導体レーザの何れか一方から出射されるレーザ光に対してのみ作用する１／４波長板が、上記第１の斜面又は上記第２の斜面のいずれか一方と上記対物レンズとの間に配置されていることを特徴とする光ピックアップ。
【請求項４】
上記第１の半導体レーザと上記第２の半導体レーザとは、それぞれ単一の上記コリメートレンズに対して共役な位置に配置されていることを特徴とする請求項１乃至３のいずれかに記載の光ピックアップ。
【請求項５】
上記第１の半導体レーザと上記第２の半導体レーザとは、光軸方向に位置をずらしてレーザ光を出射するように構成されていることを特徴とする請求項１乃至３のいずれかに記載の光ピックアップ。
【請求項６】
上記第１の半導体レーザと上記第２の半導体レーザとは、互いに平行な方向にレーザ光を出射するように構成されていることを特徴とする請求項１乃至３のいずれかに記載の光ピックアップ。
【請求項７】
上記第１の半導体レーザと上記第２の半導体レーザとが互いに対峙して配置されるとともに、上記第１の斜面と上記第２の斜面とが互いに直交してプリズムとして一体に形成されていることを特徴とする請求項１または３記載の光ピックアップ。
【発明の詳細な説明】
【０００１】
【発明の属する技術分野】
本発明は、光ディスク装置に用いられる光ピックアップに関するもので、特に、保護層の厚さが異なる記録媒体にも共通に用いることができる光ピックアップに関するものでものである。
【０００２】
【従来の技術】
情報信号を光学的に記録した光ディスクとして、従来コンパクトディスク（以下「ＣＤ」という）が広く用いられてきた。今日では、光ディスクの高密度化技術が進歩し、ＣＤと同じ直径の光ディスクに動画を数時間分も記録して再生することができるデジタル・ビデオ・ディスク（以下「ＤＶＤ」という）が実用化されている。そして、ＣＤもＤＶＤも再生可能な光ピックアップが各種提案されている。ＣＤもＤＶＤも基本原理は同じであるが、ＣＤの厚さが１．２ｍｍであるのに対し、ＤＶＤの厚さはその１／２の０．６ｍｍと厚みも異なるため、ＣＤもＤＶＤも再生可能な光ピックアップを実現するためには、ディスクの厚みの違いによって生じる球面収差を打ち消すように工夫する必要がある。
【０００３】
ＣＤもＤＶＤも再生可能な光ピックアップを実現するための例として、対物レンズ切換方式と補正素子方式とがある。これらは何れも共通の光源を用いるもので、対物レンズ切換方式は、光ディスクと対向する対物レンズをＣＤ用とＤＶＤ用の２個用意し、ＣＤの再生時とＤＶＤの再生時とで対物レンズを切り換えるようにしたもの、補正素子方式は、ディスクの厚みの違いによる球面収差を補正素子を用いて打ち消すものである。
【０００４】
ＣＤもＤＶＤも基本原理は同じ光ディスクであるが、ＣＤ用光ピックアップでは、光源として波長７８０ｎｍの半導体レーザが用いられているのに対して、ＤＶＤ用光ピックアップでは、高密度記録を実現するために光源として短波長の６５０〜６３０ｎｍの半導体レーザが用いられる。従って、上記のように共通の光源を用いてＣＤもＤＶＤも再生可能とするためには、光源として波長６５０〜６３０ｎｍの短波長半導体レーザを用いる必要がある。また、このような短波長のレーザを用いてＣＤを再生しても、ＣＤの反射膜を壊すというような悪影響を及ぼすことはない。このように、光源として波長６５０〜６３０ｎｍの短波長半導体レーザを用いれば、対物レンズ切換または補正素子の使用によって、ＣＤにもＤＶＤにも上記半導体レーザを共通に用いることができる。
【０００５】
【発明が解決しようとする課題】
ところで、ＣＤには各種の発展形態がある。例えば、追記可能または書込可能なＣＤ−Ｒがある。このＣＤ−Ｒの反射膜はＣＤ用の波長７８０ｎｍのレーザによって最大の性能が得られるように設計されていて波長依存性が高い。そのため、上記のようにＣＤにもＤＶＤにも共通に用いることができるように、波長６５０〜６３０ｎｍの短波長半導体レーザを用いると、ＣＤ−Ｒの反射膜はこのような短波長のレーザ光は反射することができず、ＣＤ−Ｒに記録されている情報信号を読み取ることができない。また、ＣＤ−Ｒの反射膜に上記のような短波長のレーザ光を照射すると、反射膜は短波長のレーザ光を吸収して発熱し、反射膜が壊れるおそれがある。
【０００６】
本発明は、上記のような従来の問題点に鑑みてなされたもので、共通の光学系を用い、かつ一つの受光素子を用いながら、ＣＤもＤＶＤも再生することができると共に、ＣＤ−Ｒも反射膜を壊すことなく信号を読み取ることができる光ピックアップを提供することを目的とする。
【０００７】
【課題を解決するための手段】
請求項１記載の発明は、第１の半導体レーザと、この第１の半導体レーザよりも波長の長いレーザ光を出射する第２の半導体レーザと、上記第１の半導体レーザと第２の半導体レーザからのレーザ光を反射して同一の方向に導く斜面と、この斜面によって反射されたレーザ光を平行光に変換するコリメートレンズと、この平行光を記録媒体上に集光する対物レンズと、記録媒体によって反射された反射光を受ける受光素子とを備えた光ピックアップであって、上記斜面は、上記第１の半導体レーザからのレーザ光を部分反射するとともに第２の半導体レーザからのレーザ光を透過する第１の斜面と、上記第２の半導体レーザからのレーザ光を部分反射するとともに第１の半導体レーザからのレーザ光を透過する第２の斜面とからなり、上記第１の半導体レーザと上記第２の半導体レーザとは、それぞれ単一の上記受光素子に対して共役な位置に配置され、上記第１の半導体レーザと第１の斜面との間または上記第２の半導体レーザと第２の斜面との間に収差補正用のホログラム素子が介在していることを特徴とする。
【０００８】
請求項２記載の発明は、第１の半導体レーザと、この第１の半導体レーザよりも波長の長いレーザ光を出射する第２の半導体レーザと、上記第１の半導体レーザと第２の半導体レーザからのレーザ光を反射して同一の方向に導く斜面と、この斜面によって反射されたレーザ光を平行光に変換するコリメートレンズと、この平行光を記録媒体上に集光する対物レンズと、記録媒体によって反射された反射光を受ける受光素子とを備えた光ピックアップであって、上記第１の半導体レーザと上記第２の半導体レーザとは、それぞれ単一の上記受光素子に対して共役な位置に配置され、上記対物レンズと上記コリメートレンズとの間に、上記対物レンズと一体に駆動される収差補正用のホログラム素子が介在していることを特徴とする。
【０００９】
請求項３記載の発明は、第１の半導体レーザと、この第１の半導体レーザよりも波長の長いレーザ光を出射する第２の半導体レーザと、上記第１の半導体レーザと第２の半導体レーザからのレーザ光を反射して同一の方向に導く斜面と、この斜面によって反射されたレーザ光を平行光に変換するコリメートレンズと、この平行光を記録媒体上に集光する対物レンズと、記録媒体によって反射された反射光を受ける受光素子とを備えた光ピックアップであって、上記斜面は、上記第１の半導体レーザからのレーザ光を部分反射するとともに第２の半導体レーザからのレーザ光を透過する第１の斜面と、上記第２の半導体レーザからのレーザ光を部分反射するとともに第１の半導体レーザからのレーザ光を透過する第２の斜面とからなり、上記第１の半導体レーザと上記第２の半導体レーザとは、それぞれ単一の上記受光素子に対して共役な位置に配置され、上記第１の半導体レーザまたは上記第２の半導体レーザの何れか一方から出射されるレーザ光に対してのみ作用する１／４波長板が、上記第１の斜面又は上記第２の斜面のいずれか一方と上記対物レンズとの間に配置されていることを特徴とする。
【００１０】
請求項４記載の発明は、請求項１乃至３のいずれかに記載の光ピックアップにおいて、第１の半導体レーザと上記第２の半導体レーザとは、それぞれ単一の上記コリメートレンズに対して共役な位置に配置されていることを特徴とする。
請求項５記載の発明は、請求項１乃至３のいずれかに記載の光ピックアップにおいて、上記第１の半導体レーザと上記第２の半導体レーザとは、光軸方向に位置をずらしてレーザ光を出射するように構成されていることを特徴とする。
請求項６記載の発明は、請求項１乃至３のいずれかに記載の光ピックアップにおいて、上記第１の半導体レーザと上記第２の半導体レーザとは、互いに平行な方向にレーザ光を出射するように構成されていることを特徴とする。
請求項７記載の発明は、請求項１または３記載の光ピックアップにおいて、上記第１の半導体レーザと上記第２の半導体レーザとが互いに対峙して配置されるとともに、上記第１の斜面と上記第２の斜面とが互いに直交してプリズムとして一体に形成されていることを特徴とする。
【００１１】
【発明の実施の形態】
以下、図面を参照しながら本発明にかかる光ピックアップの実施の形態について説明する。
図１において、符号１は光源としての第１の半導体レーザ、２は光源としての第２の半導体レーザをそれぞれ示している。第１の半導体レーザ１は高密度光ディスクであるＤＶＤ記録再生用であって、波長６５０〜６３０ｎｍの短波長のレーザ光を出射する。第２の半導体レーザ２はＣＤ再生用であって、第１の半導体レーザ１よりも波長の長い波長７８０ｎｍのレーザ光を出射する。第１の半導体レーザ１と第２の半導体レーザ２は、プリズム３の介在のもとに互いに対峙して光軸が平行な方向にレーザ光を出射する。
【００１２】
第１の半導体レーザ１と第２の半導体レーザ２は上記のように互いに対峙しているとはいっても互いに位置がずれており、第１の半導体レーザ１からのレーザ光はプリズム３の第１の斜面３１に入射し、第２の半導体レーザ２からのレーザ光はプリズム３の第２の斜面３２に入射する。上記第１の斜面３１と第２の斜面３２は互いに直交して形成されると共に、これらの各斜面３１、３２には多層膜が形成され、第１の半導体レーザ１および第２の半導体レーザ２からのレーザ光を反射して同一方向（図１において左方）に導くようになっている。上記第１の斜面３１に形成された多層膜は、第１の半導体レーザ１からの波長６５０〜６３０ｎｍのレーザ光に対してはこれを部分反射するハーフミラーとして作用し、第２の半導体レーザ２からの波長７８０ｎｍのレーザ光を透過する。上記第２の斜面３２に形成された多層膜は、第２の半導体レーザ２からのレーザ光を部分反射すると共に第１の半導体レーザ１からのレーザ光を透過する。
【００１３】
プリズム３の第１の斜面３１および第２の斜面３２はハーフミラーとして構成することも理論上は可能であるが、第１および第２の斜面３１、３２をハーフミラーで構成すると、半導体レーザ１、２から出射されたレーザ光が受光素子７に至るまでに、光量が約１／１６に減衰してしまい、実用上問題がある。その点、プリズム３の第１の斜面３１および第２の斜面３２は上記のような特性をもつ多層膜が形成されているため、半導体レーザ１、２から出射されたレーザ光が受光素子７に至るまでの光量の減衰は少なく、ディスク１０に記録された信号の読み取りエラーを少なくすることができる。
【００１４】
プリズム３は、一つの直角プリズムとこのプリズムよりも大きさが半分の２個の直角プリズムからなり、上記一つの直角プリズムの各斜面に小さな上記２個の直角プリズムの底面がそれぞれ貼り合わせられた形になっていて、各貼り合わせ面が第１の斜面３１、第２の斜面３２となっており、これらの斜面３１、３２に、上記のような特性をもつ多層膜が形成されている。従って、プリズム３の第１の斜面３１と第２の斜面３２は互いに直角に形成されて直交座標系になっているため、プリズム３を加工しやすい利点があり、また、プリズム３を保持するマウント側も加工および組立が容易になる利点がある。
【００１５】
上記第１の斜面３１で部分反射される第１の半導体レーザ１からのレーザ光、または第２の斜面３２で部分反射される第２の半導体レーザ２からのレーザ光は、ともにプリズム３の図１において左端面から出射し、この左端面に対向して配置されたコリメータレンズ４を透過することによって平行光束とされる。コリメータレンズ４の先方にはミラー５が光軸に対し４５゜の角度で斜設されている。ミラー５による反射光軸上には対物レンズ６が配置され、平行なレーザ光束が対物レンズ６を透過することにより、記録媒体であるディスク１０の記録トラック上に収束されるようになっている。第１の半導体レーザ１と第２の半導体レーザ２は、コリメートレンズ４に対して互いに光学的に共役な位置に配置されている。
【００１６】
ディスク１０は、透明な一定の厚さの保護膜で保護された反射膜を有し、この反射膜に上記記録トラックが形成されている。ディスク１０の反射膜によるレーザの反射光は、対物レンズ６、ミラー５、コリメータレンズ４の順に戻り、プリズム３の第２の斜面３２、第１の斜面３１を順に透過してプリズム３の右端面から出射し、プリズム３の右端面に対向配置された受光素子７で受光されるようになっている。従って、第１の半導体レーザ１および第２の半導体レーザ２から出射されたレーザ光は、それぞれ異なる厚さの記録媒体上で反射され、単一の受光素子７で受光される。前記第１の半導体レーザ１と第２の半導体レーザ２は、上記単一の受光素子７に対してそれぞれ光学的に共役な位置に配置されており、ディスク１０で反射されたレーザ光が単一の受光素子７の受光面に収束する。
【００１７】
上記受光素子７は、周知の通り、例えば４分割素子などからなり、この分割素子に結ばれるレーザ光が分割素子上で片寄ることにより、トラッキングエラーやフォーカシングエラーが検出される。上記対物レンズ６は、トラッキングエラー検出信号やフォーカシングエラー検出信号に応じてトラッキング方向、フォーカシング方向に駆動され、トラッキング制御、フォーカシング制御が行われると共に、ディスク１０に記録されている信号を検出することも周知である。
【００１８】
上記のように構成された光ピックアップにおいて、ＤＶＤを記録再生する場合は短波長の第１の半導体レーザ１からレーザ光を出射する。このレーザ光の一部はプリズム３の第１の斜面３１で直角に反射され、第２の斜面３２を透過し、コリメートレンズ４で平行光束にされ、ミラー５で直角に反射され、対物レンズ６によりディスク１０の反射膜上に収束される。ディスク１０で反射されたレーザ光は、対物レンズ６、ミラー５、コリメートレンズ４の順に戻り、プリズム３の第２の斜面３２、第１の斜面３１を透過し、受光素子７の受光面上に収束してディスク１０に記録されている信号の検出、トラッキングおよびフォーカシングの検出が行われる。
【００１９】
ＣＤやＣＤ−ＲＯＭ、あるいはＣＤ−Ｒを再生する場合は、長波長の第２の半導体レーザ２からレーザ光を出射する。このレーザ光の一部はプリズム３の第２の斜面３２で直角に反射され、コリメートレンズ４で平行光束にされ、ミラー５で直角に反射され、対物レンズ６によりディスク１０の反射膜上に収束される。ディスク１０で反射されたレーザ光は、ＤＶＤの記録再生時と同様に、対物レンズ６、ミラー５、コリメートレンズ４の順に戻り、プリズム３の第２の斜面３２、第１の斜面３１を透過し、受光素子７の受光面上に収束してディスク１０に記録されている信号の検出、トラッキングおよびフォーカシングの検出が行われる。
【００２０】
このように、図１に示す実施の形態によれば、第１の半導体レーザ１と、第１の半導体レーザ１よりも波長の長いレーザ光を出射する第２の半導体レーザ２と、第１の半導体レーザ１および第２の半導体レーザ２からのレーザ光を同一の方向に導くプリズム３と、プリズム３を透過したレーザ光を平行光に変換するコリメートレンズ４と、この平行光を記録媒体としてのディスク１０上に集光する対物レンズ６と、ディスク１０によって反射された反射光を受ける受光素子７とを備えた光ピックアップにおいて、プリズム３は、第１の半導体レーザ１からのレーザ光を部分反射する第１の斜面３１と、第２の半導体レーザ２からのレーザ光を部分反射する第２の斜面３２とを一体に有し、第１の半導体レーザ１と第２の半導体レーザ２は、互いに対峙して平行な方向にレーザ光を出射すると共に、単一の受光素子７に対してそれぞれ共役な位置に配置したため、プリズム３、コリメートレンズ４、対物レンズ６、受光素子７などからなる共通の光学系を用いながら、ＤＶＤの再生とＣＤの再生を行うことができると共に、それぞれの再生に適した波長のレーザ光を出射する半導体レーザ１、２を使い分けることができる。特に、単一の受光素子７を用いるために、受光素子を複数個配設する必要がなく、部品コストおよび取り付けコストの低廉化を図ることができる。
【００２１】
また、従来のある種のもののように２個の光学系を一体化し、ディスクの種類に応じて切り換えて使用するものに比べ、光学部品の削減による低コスト化、小型軽量化を図ることができるし、切換機構が不要なため、機構が簡略化され、かつ、高機能化され、さらに、切換に要する時間が不要になる利点もある。
ＣＤ−Ｒを再生する場合は、それに適した長波長のレーザ光を出射する第２の半導体レーザ２を使用すればよいので、ＣＤ−Ｒの反射膜を壊すことなく再生を行うこともできる。
【００２２】
次に、本発明にかかる光ピックアップの他の実施の形態について説明する。図２に示す実施の形態は、図１に示す実施の形態において、第２の半導体レーザ２とプリズム３との間に収差補正用のホログラム素子１７を介在させたものである。波長の異なる第１の半導体レーザ１と第２の半導体レーザ２とを、光学系を共通に用いるため、一方の波長のレーザ光で収差が小さくなるように光学系を設計すると、他方の波長のレーザ光では収差が大きくなる。また、１個のレンズで厚さの違うディスク（例えば、ＣＤとＤＶＤ）に集光させた場合に発生する収差も避けることができない。そこで、上記ホログラム素子１７を付加して、それぞれの波長とディスク厚の差に対して収差が小さくなるように補正するのである。
【００２３】
図２に示す実施の形態におけるホログラム素子１７に代えて、図３に示す実施の形態のように、対物レンズ６とコリメートレンズ４との間に収差補正用のホログラム素子１８を介在させてもよい。このように、対物レンズ６とコリメートレンズ４との間に収差補正用のホログラム素子１８を付加することによっても、波長の異なる第１の半導体レーザ１と第２の半導体レーザ２とを光学系を共通にして用い、かつ、１個のレンズで厚さの違うディスク（例えば、ＣＤとＤＶＤ）に集光させても、それぞれの波長とディスク厚の差に対して収差が小さくなるように補正することができる。
【００２４】
図２に示す実施の形態におけるホログラム素子１７に代えて、第１の半導体レーザ１とプリズム３との間に収差補正用のホログラム素子を介在させてもよい。また、図２に示す実施の形態のように対物レンズ６とコリメートレンズ４との間にホログラム素子１８を設ける場合、このホログラム素子１８は対物レンズ６と一体に設け、トラッキングおよびフォーカシング時に対物レンズ６と一体にホログラム素子１８が駆動されるようにしてもよい。こうすれば、対物レンズ６がトラッキング方向に駆動されまたはフォーカシング方向に駆動されても、対物レンズ６とホログラム素子１８とが相対位置関係を保って移動することになり、対物レンズ６の移動量に応じて収差の補正量が変動することがなく、収差の補正量が安定する利点がある。
【００２５】
図２、図３に示す各実施の形態によれば、共通の光学系を用いながら、何れの波長のレーザ光を使用する場合でも、収差が小さくなるように補正することができるため、ＣＤやＤＶＤ等の光ディスクを適切に記録再生することができる。
【００２６】
次に、図４に示す実施の形態について説明する。図４に示す実施の形態は、図１に示す実施の形態において、プリズム３の第２の斜面３２に偏向ビームスプリッタとしての機能を持たせ、プリズム３とコリメートレンズ４との間に、一方のレーザ光例えば第２の半導体レーザ２からのレーザ光に対して有効な１／４波長板１２を配置したものである。ただし、１／４波長板１２の配置位置は、プリズム３と対物レンズ６との間であればどこでもよい。また、図４の例では、第２の半導体レーザ２とプリズム３との間に回折格子１１が配置されている。
【００２７】
上記のように、プリズム３の第２の斜面３２に偏向ビームスプリッタとしての機能を持たせ、プリズム３と対物レンズ６との間に１／４波長板１２を配置することにより、光学系の結合効率を高めることができる。すなわち、第２の半導体レーザ２から出射された直線偏光のレーザ光は、ビームスプリッタとしての機能を持つ第２の斜面３２で反射され、１／４波長板１２で円偏光に変換され、円偏光のままディスクで反射され戻ってきたレーザ光は、再び１／４波長板１２を透過することによって、もとの直線偏光とは直交する方向の直線偏光に変換されて上記第２の斜面３２を透過し、さらに第１の斜面３１を透過して受光素子７の受光面に収束し、半導体レーザ２から出射されたレーザ光が効率よく受光素子７に伝達されるからである。
【００２８】
偏光ビームスプリッタとしての機能は、プリズム３の第１の斜面３１にもたせ、第１の半導体レーザ１から出射されるレーザ光に対してのみ有効に作用するようにしてもよい。
【００２９】
図４に示す実施の形態のように、第２の半導体レーザ２とプリズム３との間に回折格子１１を配置すれば、半導体レーザ２からのレーザ光は回折格子１１によって０次光と正の１次光と負の１次光に３分割されて３ビームとなる。従って、周知の３ビームタイプのトラッキング制御を行うことができる。このように、第２の半導体レーザ２とプリズム３との間に回折格子１１を配置してもよいし、第１の半導体レーザ１とプリズム３との間に回折格子を配置してもよく、また、双方ともに回折格子を配置してもよい。
【００３０】
【発明の効果】
請求項１記載の発明によれば、第１の半導体レーザと、第１の半導体レーザよりも波長の長いレーザ光を出射する第２の半導体レーザと、第１の半導体レーザおよび第２の半導体レーザからのレーザ光を反射して同一の方向に導く斜面と、この斜面によって反射されたレーザ光を平行光に変換するコリメートレンズと、この平行光を記録媒体上に集光する対物レンズと、記録媒体によって反射された反射光を受ける受光素子とを備えた光ピックアップであっても、上記斜面は、上記第１の半導体レーザからのレーザ光を部分反射するとともに第２の半導体レーザからのレーザ光を透過する第１の斜面と、上記第２の半導体レーザからのレーザ光を部分反射するとともに第１の半導体レーザからのレーザ光を透過する第２の斜面とからなり、上記第１の半導体レーザと上記第２の半導体レーザとは、それぞれ単一の上記受光素子に対して共役な位置に配置され、上記第１の半導体レーザと第１の斜面との間または上記第２の半導体レーザと第２の斜面との間に収差補正用のホログラム素子が介在しているため、プリズム、コリメートレンズ、対物レンズ、受光素子などからなる共通の光学系を用いながら、厚さの異なる記録媒体の再生を行うことができると共に、それぞれの再生に適した波長のレーザ光を出射する半導体レーザを使い分けることができる。また、記録媒体としてのＣＤ−Ｒを再生する場合は、それに適した長波長のレーザ光を出射する半導体レーザを使用すればよいので、ＣＤ−Ｒの反射膜を壊すことなく再生を行うことができる。
また、第１の斜面は、第１の半導体レーザからのレーザ光を部分反射すると共に第２の半導体レーザからのレーザ光を透過し、第２の斜面は、第２の半導体レーザからのレーザ光を部分反射すると共に第１の半導体レーザからのレーザ光を透過するため、半導体レーザから出射されたレーザ光が受光素子に至るまでの光量の減衰は少なく、記録媒体に記録された信号の読み取りエラーを少なくすることができる。
第１の半導体レーザまたは第２の半導体レーザの何れか一方とプリズムとの間に収差補正用のホログラム素子を介在させたため、共通の光学系を用いながら、何れの波長のレーザ光を使用する場合でも、収差が小さくなるように補正することができ、ＣＤとＤＶＤのように厚さが異なる記録媒体であっても、これらを適切に再生することができる利点もある。
【００３１】
請求項２記載の発明によれば、対物レンズとコリメートレンズとの間に、対物レンズと一体に駆動される収差補正用のホログラム素子を介在させたため、対物レンズがトラッキング方向に駆動されまたはフォーカシング方向に駆動されても、対物レンズとホログラム素子とが相対位置関係を保って移動することになり、対物レンズの移動量に応じて収差の補正量が変動することがなく、収差の補正量が安定する利点がある。
【００３２】
請求項３記載の発明によれば、第１の半導体レーザまたは第２の半導体レーザの何れか一方から出射されるレーザ光に対してのみ作用する１／４波長板を、プリズムと対物レンズとの間に配置したため、光学系の結合効率を高めることができ、レーザ光の減衰量を少なくすることができる。
【００３３】
請求項７記載の発明によれば、上記プリズムの第１の斜面と第２の斜面は互いに直交して形成されているため、プリズムを加工しやすい利点があり、プリズムを保持するマウント側も加工および組立が容易になる利点がある。
【図面の簡単な説明】
【図１】本発明にかかる光ピックアップの実施の形態を示す光学配置図。
【図２】本発明にかかる光ピックアップの別の実施の形態を示す光学配置図。
【図３】本発明にかかる光ピックアップのさらに別の実施の形態を示す光学配置図。
【図４】本発明にかかる光ピックアップのさらに別の実施の形態を示す光学配置図。
【符号の説明】
１    第１の半導体レーザ
２    第２の半導体レーザ
３    プリズム
４    コリメートレンズ
６    対物レンズ
７    受光素子
１２  １／４波長板
１７  ホログラム素子
１８  ホログラム素子
３１  第１の斜面
３２  第２の斜面
【図１】
0003670091.tif 000002
【図２】
0003670091.tif 000003
【図３】
0003670091.tif 000004
【図４】
0003670091.tif 000005